(57)【要約】【課題】見る者に対して風の流れを彷彿とさせるように照明することが可能な照明システムを提供する。【解決手段】照明システム１０は、風力を計測する風センサー１１と、互いに異なる照明領域を照明する複数の照明器具１２と、風センサー１１により計測された風力に基づいて、複数の照明器具１２のそれぞれの照射状態を個別に調整する制御部１６とを備える。風センサー１１の設置位置と、複数の照明領域とは、それぞれ、屋外に規則性を持って設定される。制御部１６は、風力の強弱に従って、規則性に合わせて照明器具１２の照射状態を変化させる。【選択図】図１
2020173950.tif 000002
【特許請求の範囲】
【請求項１】
風力を計測する風センサーと、
互いに異なる照明領域を照明する複数の照明器具と、
前記風センサーにより計測された前記風力に基づいて、前記複数の照明器具のそれぞれの照射状態を個別に調整する制御部と、
を備え、
前記風センサーの設置位置と、複数の前記照明領域とは、それぞれ、屋外に規則性を持って設定され、
前記制御部は、前記風力の強弱に従って、前記規則性に合わせて前記照明器具の前記照射状態を変化させる、照明システム。
【請求項２】
前記複数の照明領域は、前記風センサーからの距離が順に遠くなるように配列された複数の照明対象物であり、
前記制御部は、
前記風力が第１基準値以上となったときに、前記複数の照明器具に含まれる第１照明器具に、前記複数の照明対象物に含まれる第１照明対象物を照明させ、
前記風力が前記第１基準値よりも大きい第２基準値以上となったときに、前記第１照明器具による前記第１照明対象物の照明に加えて、前記複数の照明器具に含まれる第２照明器具に、前記複数の照明対象物に含まれる前記風センサーからの距離が前記第１照明対象物までよりも長い第２照明対象物を照明させる、請求項１に記載の照明システム。
【請求項３】
前記第２照明器具の感度は、前記第１照明器具の感度よりも弱い、請求項２に記載の照明システム。
【請求項４】
前記風センサーは、前記複数の照明器具が設置されている側よりも、人が移動する領域の側に設置され、
前記第１照明対象物又は前記第２照明対象物が照らされる照射面は、それぞれ、前記風センサーが設置されている方向を向いている、請求項２又は３に記載の照明システム。
【請求項５】
前記風センサーは、人が移動する領域に沿って複数設置され、
前記複数の照明領域は、それぞれ前記複数の風センサーのいずれかに対応し、人が移動する前記領域に沿って配列された複数の照明対象物であり、
前記制御部は、１つの前記風センサーに対応した前記照明器具のそれぞれに、
前記風力が第１基準値よりも小さいときに、第１条件で、対応する前記照明対象物を照明させ、
前記風力が前記第１基準値以上となったときに、前記第１条件とは異なる第２条件で、対応する前記照明対象物を照明させ、
前記風力が前記第１基準値よりも大きい第２基準値以上となったときに、前記第１条件及び前記第２条件とは異なる第３条件で、対応する前記照明対象物を照明させる、請求項１に記載の照明システム。
【請求項６】
前記第１条件、前記第２条件及び前記第３条件は、色味、感度又はフェード時間の少なくともいずれかで規定された条件群である、請求項５に記載の照明システム。
【請求項７】
前記照明器具は、それぞれ、
前記第１条件では昼白色の光を照射し、
前記第２条件ではライトグリーン色の光を照射し、
前記第３条件ではグリーン色の光を照射する、請求項６に記載の照明システム。
【請求項８】
前記照明器具は、それぞれ、
昼白色とライトグリーン色とを個別に照射可能とする第２条件用照明器具と、
昼白色とグリーン色とを個別に照射可能とする第３条件用照明器具と、
を含む、請求項７に記載の照明システム。
【請求項９】
前記第２条件用照明器具は、人が移動する前記領域の側から、対応する前記照明対象物を照明し、
前記第３条件用照明器具は、人が移動する前記領域の反対側から、対応する前記照明対象物を照明する、請求項８に記載の照明システム。
【請求項１０】
前記第３条件用照明器具の感度は、前記第２条件用照明器具の感度よりも弱い、請求項９に記載の照明システム。
【請求項１１】
前記第３条件用照明器具のフェード時間は、前記第２条件用照明器具のフェード時間よりも長い、請求項９に記載の照明システム。
【請求項１２】
前記複数の照明領域は、１つの照明対象物において、底部から頂部に向かう高さが順に高くなるように配列された複数の照射面であり、
前記制御部は、
前記風力が第１基準値以上となったときに、前記複数の照明器具に含まれる第１照明器具に、前記複数の照射面に含まれる第１照射面を照明させ、
前記風力が前記第１基準値よりも大きい第２基準値以上となったときに、前記第１照明器具による前記第１照射面への照射に加えて、前記複数の照明器具に含まれる第２照明器具に、前記複数の照射面に含まれる前記底部からの距離が前記第１照射面よりも高い位置にある第２照射面を照明させる、請求項１に記載の照明システム。
【請求項１３】
前記照明対象物は、樹木である、請求項２乃至１２のいずれか１項に記載の照明システム。
【請求項１４】
前記照明対象物は、柱状の構造物である、請求項２乃至１２のいずれか１項に記載の照明システム。
【請求項１５】
前記制御部は、前記第１基準値及び前記第２基準値を、季節又は天候に応じて変更可能である、請求項２，５又は１２に記載の照明システム。
【発明の詳細な説明】
【技術分野】
【０００１】
本開示は、複数の照明器具を含む照明システムに関する。
【背景技術】
【０００２】
従来、複数のランプと、風速センサーとを備え、風速センサーにより計測された風速に基づいて複数のランプの点灯状態を変化させる照明器具がある。特許文献１は、風速センサーの出力に基づいて、複数のランプを炎が揺らいだように点灯させたり、下方から上方にかけて火の粉のように点滅させたりすることで、装飾上の変化に富んだ照明を行う照明器具を開示している。
【先行技術文献】
【特許文献】
【０００３】
【特許文献１】特開平７−３７６９０号公報
【発明の概要】
【発明が解決しようとする課題】
【０００４】
しかし、特許文献１に開示されている照明器具のように、１つの照明器具において風速を計測して点灯状態を変化させる場合には、照明器具を見る者にとっては、照明の挙動が風の影響で変化しているのかどうかを認識することが難しいこともあり得る。
【０００５】
本開示は、このような従来技術の有する課題に鑑みてなされたものである。そして、本開示の目的は、見る者に対して風の流れを彷彿とさせるように照明することが可能な照明システムを提供することにある。
【課題を解決するための手段】
【０００６】
上記課題を解決するために、本開示の態様に係る照明システムは、風力を計測する風センサーと、互いに異なる照明領域を照明する複数の照明器具と、風センサーにより計測された風力に基づいて、複数の照明器具のそれぞれの照射状態を個別に調整する制御部と、を備え、風センサーの設置位置と、複数の照明領域とは、それぞれ、屋外に規則性を持って設定され、制御部は、風力の強弱に従って、規則性に合わせて照明器具の照射状態を変化させる。
【発明の効果】
【０００７】
本開示によれば、見る者に対して風の流れを彷彿とさせるように照明することが可能な照明システムを提供することができる。
【図面の簡単な説明】
【０００８】
【図１】本開示の第１実施形態に係る照明システムの構成を示す図である。
【図２】本開示の第１実施形態に係る照明システムの照明状態を示す図である。
【図３】本開示の第２実施形態に係る照明システムの構成を示す図である。
【図４】本開示の第３実施形態に係る照明システムの構成を示す図である。
【図５】本開示の第４実施形態に係る照明システムの構成を示す図である。
【図６】本開示の第５実施形態に係る照明システムの構成を示す図である。
【発明を実施するための形態】
【０００９】
以下、各実施形態について図面を参照しつつ詳細に説明する。ここで、各実施形態に示す寸法、その他、具体的な数値等は、例示にすぎず、特に断る場合を除いて、本開示を限定するものではない。また、実質的に同一の機能及び構成を有する要素については、同一の符号を付することにより重複説明を省略し、本開示に直接関係のない要素については、図示を省略する。
【００１０】
（第１実施形態）
図１は、第１実施形態に係る照明システム１０の構成を示す平面図である。図２は、照明システム１０の照明状態の一例を示す側面図である。図１及び図２では、一例として、鉛直方向と平行にＺ方向を規定し、Ｚ方向に対して垂直となる水平面内で互いに垂直となる２方向をＸ方向及びＹ方向と規定する。特に、Ｘ方向は、テラス１０２にいる人が照明システム１０に含まれる複数の照明器具１２を眺める方向である。
【００１１】
照明システム１０は、風センサー１１と、複数の照明器具１２と、制御部１６とを備える。本実施形態では、１つの風センサー１１と、複数の照明器具１２と、１つの制御部１６とを含む照明システム１０を１組として、一例として、３組の照明システム１０が存在するものとする。
【００１２】
照明システム１０に含まれる風センサー１１及び複数の照明器具１２は、屋外の敷地内に設置される。一例として、本実施形態における屋外の敷地は、建物１００に並設されたテラス１０２の前に広がる広場１０４である。テラス１０２は、建物１００を訪れた人が行き来する場所であり、人が移動する領域とも表現される。テラス１０２は、例えば、図１に示すように、Ｙ方向に沿って延びている。これに対して、広場１０４は、テラス１０２側からＸ方向に沿って広がっている。つまり、テラス１０２を行き来する人は、Ｘ方向の側を向くことで広場１０４を眺めることができる。そして、広場１０４には、多数の樹木１０６が植えられている。
【００１３】
風センサー１１は、風力を計測する。ここで、風力とは、例えば、風速や風量など、一般に風の強さとして数値化することが可能なパラメーターをいう。風センサー１１としては、風力を計測可能なものであれば特に限定されるものではないが、例えば、熱線式など小型で取り扱い容易なものが望ましい。風センサー１１は、複数の照明器具１２が設置される側よりも、テラス１０２の側に設置される。具体的には、風センサー１１は、テラス１０２の近傍に設置される。
【００１４】
ここで、広場１０４は、風センサー１１の設置位置Ｐ０を基準として、テラス１０２側からＸ方向に沿って、複数の領域に分けられる。本実施形態では、一例として、第１領域Ｒ１、第２領域Ｒ２及び第３領域Ｒ３の３つの領域に分けられるものとする。第１領域Ｒ１は、設置位置Ｐ０に最も近い領域である。第２領域Ｒ２は、第１領域Ｒ１に隣接し、第１領域Ｒ１よりも設置位置Ｐ０から遠い位置にある領域である。第３領域Ｒ３は、第２領域Ｒ２に隣接し、第２領域Ｒ２よりも設置位置Ｐ０から遠い位置にある領域である。
【００１５】
複数の照明器具１２としては、それぞれ、例えばＬＥＤ（発光ダイオード）を光源とするアッパーライトやフロアウォッシャーライトなどを採用可能である。複数の照明器具１２は、互いに異なる照明領域を照明する。本実施形態では、複数の照明領域は、広場１０４に設定された複数の領域ごとにある。例えば、広場１０４に第１領域Ｒ１、第２領域Ｒ２及び第３領域Ｒ３が存在する場合には、３つの領域ごとに照明領域が設定される。本実施形態における照明領域は、具体的には、３つの領域ごとに複数の樹木１０６の中から抽出された照明対象物である。複数の照明対象物は、風センサー１１からの距離が順に遠くなるように配列されている。以下、第１領域Ｒ１内に設定された第１照明対象物を第１樹木１０６ａと表記する。同様に、第２領域Ｒ２内に設定された第２照明対象物を第２樹木１０６ｂと表記する。第３領域Ｒ３内に設定された第３照明対象物を第３樹木１０６ｃと表記する。風センサー１１から第２樹木１０６ｂまでの距離Ｌ２は、風センサー１１から第１樹木１０６ａまでの距離Ｌ１よりも長い。一方、風センサー１１から第３樹木１０６ｃまでの距離Ｌ３は、距離Ｌ２よりも長い。つまり、風センサー１１の設置位置Ｐ０と、複数の照明領域とは、それぞれ、広場１０４内に規則性を持って設定されている。
【００１６】
また、第１樹木１０６ａを照明領域とする照明器具１２を第１照明器具１２ａと表記する。同様に、第２樹木１０６ｂを照明領域とする照明器具１２を第２照明器具１２ｂと表記する。第３樹木１０６ｃを照明領域とする照明器具１２を第３照明器具１２ｃと表記する。第１照明器具１２ａは、例えば、第１樹木１０６ａの根元部に設置される。同様に、第２照明器具１２ｂは、例えば、第２樹木１０６ｂの根元部に設置される。第３照明器具１２ｃは、例えば、第３樹木１０６ｃの根元部に設置される。また、第１樹木１０６ａが照らされる照射面、第２樹木１０６ｂが照らされる照射面、及び、第３樹木１０６ｃが照らされる照射面は、それぞれ、風センサー１１が設置されている方向を向いている。
【００１７】
制御部１６は、風センサー１１により計測された風力に基づいて、複数の照明器具１２のそれぞれの照射状態を個別に調整する。制御部１６は、例えば、主制御部１７と、ＰＬＣ(Programmable Logic Controller)１８とを含む。主制御部１７は、例えば、ユーザーインターフェイスを含むパーソナルコンピュータ等から構成され、風センサー１１とＰＬＣ１８とに電気的に接続されている。主制御部１７は、風センサー１１から検知信号を受信して風力を求め、求められた風力の値をＰＬＣ１８に送信する。ＰＬＣ１８は、複数の照明器具１２に電気的に接続され、主制御部１７から受信した風力の値に基づいて、複数の照明器具１２の照射状態を個別に制御する。
【００１８】
次に、照明システム１０の照明動作について説明する。
【００１９】
制御部１６は、特に夜間、風力の強弱に従って、規則性に合わせてそれぞれの照明器具１２の照射状態を変化させる。本実施形態における規則性とは、広場１０４における第１領域Ｒ１、第２領域Ｒ２及び第３領域Ｒ３の並び順である。まず、制御部１６は、風センサー１１近傍をほとんど風が通過していない「無風」であるとき、すべての照明器具１２を点灯させない。次に、制御部１６は、風センサー１１近傍を通過する風が「微風」であるときに、第１照明器具１２ａを点灯させて、第１領域Ｒ１にある第１樹木１０６ａを照明させる。次に、制御部１６は、風センサー１１近傍を通過する風が「そよ風」であるときに、第２照明器具１２ｂを点灯させて、第２領域Ｒ２にある第２樹木１０６ｂを照明させる。このとき、制御部１６は、引き続き、第１照明器具１２ａに第１樹木１０６ａを照明させておく。次に、制御部１６は、風センサー１１近傍を通過する風が「強風」であるときに、第３照明器具１２ｃを点灯させて、第３領域Ｒ３にある第３樹木１０６ｃを照明させる。このとき、制御部１６は、引き続き、第１照明器具１２ａに第１樹木１０６ａを照明させるとともに、第２照明器具１２ｂに第２樹木１０６ｂを照明させておく。
【００２０】
例えば、制御部１６は、風センサー１１が計測した風力が第１基準値以上となったときに、微風状態であると認定する。つまり、制御部１６は、風センサー１１が計測した風力が第１基準値よりも小さいと判断したときには、無風状態であると認定する。次に、制御部１６は、風センサー１１が計測した風力が第２基準値以上となったときに、そよ風状態であると認定する。ここで、第２基準値は、第１基準値よりも大きい。そして、制御部１６は、風センサー１１が計測した風力が第３基準値以上となったときに、強風状態であると認定する。ここで、第３基準値は、第２基準値よりも大きい。このように、第１基準値、第２基準値及び第３基準値は、風の状態を判別するための基準となる値であり、それぞれ、オペレーターが主制御部１７を介して制御部１６に設定することができる。
【００２１】
また、制御部１６は、第１照明器具１２ａ、第２照明器具１２ｂ又は第３照明器具１２ｃのそれぞれの感度を異ならせてもよい。例えば、第１照明器具１２ａの感度は、予め３つの照明器具１２の中で最も強く設定されている。第３照明器具１２ｃの感度は、３つの照明器具１２の中で最も弱く設定されている。そして、第２照明器具１２ｂの感度は、第１照明器具１２ａの感度よりも弱く、かつ、第３照明器具１２ｃの感度よりも強く設定されている。つまり、風センサー１１に最も近い照明器具１２の感度が最も高く、風センサー１１から離れるにつれて、照明器具１２の感度が小さくなる。これにより、図２に示すように、第１樹木１０６ａ、第２樹木１０６ｂ又は第３樹木１０６ｃは、互いに照明されている状態にあったとしても、照射面の広さや明かりの強さなどがそれぞれ異なることになる。
【００２２】
一方、それぞれの照明器具１２が制御部１６からの指令により感度を変更可能なものである場合には、オペレーターが、制御部１６を介して、第１照明器具１２ａ、第２照明器具１２ｂ及び第３照明器具１２ｃのそれぞれの感度を上記のように設定してもよい。
【００２３】
なお、照明システム１０は、広場１０４において他の照明器具と併用されてもよい。例えば、図１に示すように、広場１０４には、Ｙ方向に延びているテラス１０２に沿って等間隔に、複数の常用照明器具２２が設置されていてもよい。図１の例では、常用照明器具２２が７つ設置されている。常用照明器具２２が照射可能な色は、例えば、昼白色と、複数の色に変化するいわゆるレインボー色とである。常用照明器具２２は、例えば、図２に示すように、テラス１０２の側面近傍の地面に設置され、テラス１０２側から、照明システム１０に含まれる複数の照明器具１２が存在する方向の地面に光を照射する。これらの常用照明器具２２は、常時、点灯している。ここで、複数の常用照明器具２２の近傍に、それぞれ、第２風センサー２１が設置されてもよい。複数の常用照明器具２２は、それぞれ、これらの第２風センサー２１が計測した風力に基づいて、光の照射状態を変更してもよい。この場合、照明システム１０における照射状態に合わせるために、常用照明器具２２の感度は、複数の照明器具１２の感度よりも強く設定されていてもよい。
【００２４】
次に、照明システム１０の効果について説明する。
【００２５】
まず、本実施形態に係る照明システム１０は、風力を計測する風センサー１１と、互いに異なる照明領域を照明する複数の照明器具１２とを備える。照明システム１０は、風センサー１１により計測された風力に基づいて、複数の照明器具１２のそれぞれの照射状態を個別に調整する制御部１６を備える。風センサー１１の設置位置と、複数の照明領域とは、それぞれ、屋外に規則性を持って設定されている。制御部１６は、風力の強弱に従って、規則性に合わせて照明器具１２の照射状態を変化させる。
【００２６】
ここで、複数の照明領域は、上記の例では、第１樹木１０６ａ、第２樹木１０６ｂ及び第３樹木１０６ｃに相当する。
【００２７】
このような構成によれば、例えば、広場１０４のような屋外に多数の樹木１０６が配置されている場合に、風の強弱によって第１樹木１０６ａ、第２樹木１０６ｂ及び第３樹木１０６ｃにおける照明のなされ方が刻々と変化する。また、第１樹木１０６ａ、第２樹木１０６ｂ及び第３樹木１０６ｃは、広場１０４において規則性を持って配置されている。これにより、特に夜間、広場１０４に吹く風が強いときほど、規則性に従って暗闇に浮かび上がる樹木１０６の数が増えるので、広場１０４を眺める者にとっては、複数の樹木１０６の照明のなされ方によって風の強さを実感しやすくなる。また、例えば、広場１０４においてこのような照明システム１０を複数併用することで、複数の樹木１０６の照明のなされ方によって風の流れを視覚的に表現することが可能となる。
【００２８】
したがって、本実施形態によれば、見る者に対して風の流れを彷彿とさせるように照明することが可能な照明システム１０を提供することができる。
【００２９】
また、照明システム１０では、複数の照明領域は、風センサー１１からの距離が順に遠くなるように配列された複数の照明対象物であってもよい。この場合、制御部１６は、風力が第１基準値以上となったときに、複数の照明器具１２に含まれる第１照明器具１２ａに、複数の照明対象物に含まれる第１照明対象物を照明させる。また、制御部１６は、風力が第１基準値よりも大きい第２基準値以上となったときに、複数の照明器具１２に含まれる第２照明器具１２ｂに、複数の照明対象物に含まれる風センサー１１からの距離が第１照明対象物よりも遠い第２照明対象物を照明させる。ここで、制御部１６は、第２照明器具１２ｂに第２照明対象物を照明させるときには、第１照明器具１２ａに第１照明対象物の照明も併せて行わせている。
【００３０】
ここで、第１照明対象物が第１樹木１０６ａであり、第２照明対象物が第２樹木１０６ｂであるとすると、このような照明システム１０によれば、広場１０４に吹く風が強いときほど、風センサー１１からより遠い第２樹木１０６ｂまで照らされることになる。したがって、風センサー１１の設置位置を基準として、照射されている照明対象物が刻々と変化するので、見る者が風をより視覚的に実感しやすくなる。
【００３１】
また、第１照明器具１２ａ又は第２照明器具１２ｂに照明を行わせるかどうかは、第１基準値又は第２基準値に依拠する。したがって、予め、適宜第１基準値及び第２基準値を所望の値に設定することで、どの程度の風の強さのときに第１照明器具１２ａ又は第２照明器具１２ｂに照明させるかを調整することができる。
【００３２】
なお、ここでは、第１照明対象物を照明する第１照明器具１２ａと、第２照明対象物を照明する第２照明器具１２ｂとの２つの照明器具１２を登場させて説明しているが、照明システム１０がそれ以上の照明器具１２を備えるものであっても構わない。例えば、照明システム１０は、上記例示のように、第３照明対象物としての第３樹木１０６ｃを照明する第３照明器具１２ｃを備えてもよい。このように、照明システム１０に含まれる照明器具１２を増やすことで、照射されている照明対象物がより細かく変化するので、見る者が風をより視覚的に実感しやすくなる。
【００３３】
また、照明システム１０では、第２照明器具１２ｂの感度は、第１照明器具１２ａの感度よりも弱くてもよい。
【００３４】
このような照明システム１０によれば、例えば、照明対象物とする複数の樹木１０６ごとに、照射面の面積が異なることになる。具体的には、風センサー１１から遠い側にある第２樹木１０６ｂにおける照射面の面積は、風センサー１１に近い側にある第１樹木１０６ａにおける照射面の面積よりも小さくなる。したがって、見る者にとって、照射されている照明対象物が変化することで特に遠近感を感じやすくなるため、結果として風をより視覚的に実感しやすくなる。
【００３５】
また、照明システム１０では、風センサー１１は、複数の照明器具１２が設置されている側よりも、人が移動する領域の側に設置されてもよい。この場合、第１照明対象物又は第２照明対象物が照らされる照射面は、それぞれ、風センサー１１が設置されている方向を向いていてもよい。
【００３６】
このような照明システム１０によれば、予め風センサー１１の設置位置を人が移動する領域又はその近傍としておけば、見る者の側を基準として、照射されている照明対象物が刻々と変化する。加えて、それぞれの照射対象物が照らされる各照射面も、見る者の側を向いていることになる。したがって、見る者にとっては、各照射面が見やすくなるため、風をより視覚的に実感しやすくなる。
【００３７】
また、照明システム１０では、照明対象物は、樹木１０６であってもよい。
【００３８】
樹木は、風を受けることで揺れる。したがって、このような照明システム１０によれば、風の強弱によって揺れの程度が変化する樹木１０６を照明対象物とすることで、見る者にとっては、照らされながら様々に揺れている樹木１０６を見ることになるので、風をより視覚的に実感しやすくなる。
【００３９】
また、照明システム１０では、照明対象物は、柱状の構造物であってもよい。
【００４０】
このような照明システム１０によれば、樹木１０６のように風の強弱によって揺れが大きく変化することはないものの、見る者にとっては、照明状態を良好に判別することができるので、風を視覚的に実感することができる。
【００４１】
また、照明システム１０では、制御部１６は、第１基準値及び第２基準値を、季節又は天候に応じて変更可能としてもよい。
【００４２】
一般に、季節や天候によって、例えば、強風の多い季節や、台風等の発生時期などによっては、風の強さや流れを強調させたいときや反対に強調させたくないときなどがあり得る。そこで、このような照明システム１０によれば、制御部１６は、予め入力された季節や天候に関する情報に基づいて第１基準値及び第２基準値を変更することで、それぞれの照明器具１２の照射状態を自動で変更することができる。
【００４３】
（第２実施形態）
図３は、第２実施形態に係る照明システム２００の構成を示す平面図である。照明システム２００が設置される屋外としては、例えば、複数の建築物などを含み、各々の建築物間を移動するための導線が存在する敷地を想定している。本実施形態では、一例として、照明システム２００が設置される敷地は、第１建築物２０２ａ、第２建築物２０２ｂ及び第３建築物２０２ｃの３つの建築物や池２０３などが点在する庭園２０１である。また、庭園２０１内には、人が第１建築物２０２ａ、第２建築物２０２ｂ及び第３建築物２０２ｃを行き来することを可能とする導線としての歩道２０４が延設されている。つまり、歩道２０４は、人が移動する領域とも表現される。さらに、庭園２０１には、多数の樹木が植えられている。
【００４４】
照明システム２００は、複数の風センサーと、複数の照明器具と、制御部１６とを備える。ここで、本実施形態では、一例として、複数の照明対象物は、歩道２０４に沿って設置されている複数の樹木であるものとする。そして、照明対象物としての樹木の１つにつき、１つの風センサーと２つの照明器具とが対応する。以下、庭園２０１内には照明対象物となる樹木が多数存在するので、簡略化のために、２つの樹木、すなわち、第１樹木２１１及び第２樹木２２１に着目して説明する。
【００４５】
まず、第１樹木２１１に関して、照明システム２００は、１つの風センサー２１２、第１照明器具２１３ａ及び第２照明器具２１３ｂを含む第１ユニット２１０を備える。
【００４６】
風センサー２１２としては、第１実施形態における風センサー１１と同様のものを採用可能である。風センサー２１２は、歩道２０４に沿って設置される。
【００４７】
第１照明器具２１３ａは、歩道２０４の側から第１樹木２１１を照明する。第１照明器具２１３ａは、昼白色とライトグリーン色とを個別に照射可能とする。また、第２照明器具２１３ｂは、第１樹木２１１を基準として歩道２０４の反対側から第１樹木２１１を照明する。第２照明器具２１３ｂは、昼白色とグリーン色とを個別に照射可能とする。第１照明器具２１３ａ及び第２照明器具２１３ｂにおける昼白色の照射時の色温度は、それぞれ、例えば３５００Ｋであってもよい。
【００４８】
次に、第２樹木２２１に関して、照明システム２００は、第１ユニット２１０と同様に、１つの風センサー２２２、第１照明器具２２３ａ及び第２照明器具２２３ｂを含む第２ユニット２２０を備える。風センサー２２２は、第１ユニット２１０の風センサー２１２に対応するものである。第１照明器具２２３ａは、第１ユニット２１０の第１照明器具２１３ａに対応するものである。第２照明器具２２３ｂは、第１ユニット２１０の第２照明器具２１３ｂに対応するものである。
【００４９】
制御部１６は、基本的には第１実施形態におけるものと同一構成を有する。ただし、本実施形態では、一例として、制御部１６は、第１ユニット２１０用のＰＬＣ１８ａや第２ユニット２２０用のＰＬＣ１８ｂなど、ユニットごとに対応したＰＬＣ１８を含むものとする。また、各ユニットに含まれる風センサーは、それぞれ、主制御部１７に検知信号を送信する。
【００５０】
次に、照明システム２００の照明動作について説明する。
【００５１】
制御部１６は、特に夜間、照明対象物ごとに分けられたユニットごとに、風力の強弱に従って、規則性に合わせてそれぞれの照明器具の照射状態を変化させる。以下、一例として、第１ユニット２１０における照明動作について説明する。まず、制御部１６は、風センサー２１２近傍をほとんど風が通過していない「無風」であるときに、第１照明器具２１３ａ及び第２照明器具２１３ｂの双方に昼白色で第１樹木２１１を照明させる。つまり、ここでは昼白色の光を照射するということが第１条件となる。次に、制御部１６は、風センサー２１２近傍を通過する風が「微風」であるときに、第１照明器具２１３ａにライトグリーン色で第１樹木２１１を照明させ、かつ、第２照明器具２１３ｂを消灯する。つまり、ここではライトグリーン色で光を照射するということが第２条件となる。次に、制御部１６は、風センサー２１２近傍を通過する風が「そよ風」又は「強風」であるときに、第１照明器具２１３ａを消灯させ、かつ、第２照明器具２１３ｂにグリーン色で第１樹木２１１を照明させる。つまり、ここではグリーン色で光を照射するということが第３条件となる。
【００５２】
例えば、制御部１６は、風センサー２１２が計測した風力が第１基準値よりも小さいときに、無風状態であると認定する。次に、制御部１６は、風センサー２１２が計測した風力が第１基準値以上となったときに、微風状態であると認定する。そして、制御部１６は、風センサー２１２が計測した風力が第２基準値以上となったときに、そよ風状態又は強風状態であると認定する。ここで、第２基準値は、第１基準値よりも大きい。このように、第１基準値及び第２基準値は、風の状態を判別するための基準となる値であり、それぞれ、オペレーターが主制御部１７を介して制御部１６に設定することができる。
【００５３】
なお、制御部１６は、第１ユニット２１０以外の第２ユニット２２０や、その他の照射対象物としての樹木ごとのユニットに関しても、同様の制御を実行する。
【００５４】
次に、照明システム２００の効果について説明する。
【００５５】
まず、照明システム２００では、風センサーは、人が移動する領域に沿って複数設置される。複数の照明領域は、それぞれ複数の風センサーのいずれかに対応し、人が移動する領域に沿って配列された複数の照明対象物である。制御部１６は、１つの風センサーに対応した照明器具のそれぞれに、風力が第１基準値よりも小さいときに、第１条件で、対応する照明対象物を照明させる。制御部１６は、風力が第１基準値以上となったときに、第１条件とは異なる第２条件で、対応する照明対象物を照明させる。また、制御部１６は、風力が第１基準値よりも大きい第２基準値以上となったときに、第１条件及び第２条件とは異なる第３条件で、対応する照明対象物を照明させる。
【００５６】
ここで、複数の風センサーは、上記例示における風センサー２１２や風センサー２２２に対応する。複数の照明対象物は、上記例示における第１樹木２１１や第２樹木２２１に対応する。１つの風センサーに対応した照明器具は、例えば、風センサー２１２に対応したものとして、第１照明器具２１３ａ及び第２照明器具２１３ｂに相当する。
【００５７】
このような照明システム２００によれば、庭園２０１のような屋外に、第１樹木２１１や第２樹木２２１などの多数の樹木が歩道２０４に沿って規則性を持って配置されている場合、風の強弱によって、１つ１つの樹木に対する照明のなされ方が刻々と変化する。これにより、特に夜間、庭園２０１に吹く風が強くなると、歩道２０４の沿った樹木の照明が、歩道２０４の延伸方向に合わせて変化することになる。そのため、歩道２０４を行き来する人にとっては、歩道２０４の方向性が明示されるという照明演出を受けながら、風を視覚的に実感することができる。
【００５８】
また、照明システム２００では、照明器具は、それぞれ、第１条件では昼白色の光を照射し、第２条件ではライトグリーン色の光を照射し、第３条件ではグリーン色の光を照射するものとしてもよい。この場合、照明器具は、それぞれ、昼白色とライトグリーン色とを個別に照射可能とする第２条件用照明器具を含んでもよい。また、照明器具は、昼白色とグリーン色とを個別に照射可能とする第３条件用照明器具を含んでもよい。
【００５９】
ここで、第２条件用照明器具は、上記例示における第１照明器具２１３ａや第１照明器具２２３ａに相当する。第３条件用照明器具は、上記例示における第２照明器具２１３ｂや第２照明器具２２３ｂに相当する。
【００６０】
上記例示のように照明対象物が樹木である場合、ライトグリーン色及びグリーン色は、すなわち、樹木の色と同系である。そして、風力が比較的弱い微風状態のときに、樹木は薄い方のライトグリーン色で照らされ、一方、風力が比較的強いそよ風状態又は強風状態のときに、樹木は濃い方のグリーン色で照らされることになる。このように、同系色であるものの色味が互いに異なる色で樹木を照らすことで、見る者にとっては、樹木の葉の重なり部分の奥行きが明瞭となり、結果として、樹木の色を強調することができる。
【００６１】
また、照明システム２００では、第２条件用照明器具は、人が移動する領域の側から、対応する照明対象物を照明してもよい。このとき、第３条件用照明器具は、人が移動する領域の反対側から、対応する照明対象物を照明してもよい。
【００６２】
このような照明システム２００によれば、例えば、樹木がライトグリーン色で照らされるときには、人が移動する領域である歩道２０４側から照らされ、一方、樹木がグリーン色で照らされるときには、歩道２０４側から照らされる。つまり、歩道２０４に近い側の方が浮かび上がりやすくなるので、歩道２０４の方向性を強調するのに有利となる。
【００６３】
また、照明システム２００では、第１条件、第２条件及び第３条件は、色味、感度又はフェード時間の少なくともいずれかで規定された条件群であるものとしてもよい。
【００６４】
ここで、上記の例では、第１照明器具２１３ａ等の第２条件用照明器具が、ライトグリーン色の光を照射し、第２照明器具２１３ｂ等の第３条件用照明器具が、グリーン色の光を照射するものとした。つまり、この場合には、第２条件用照明器具と第３条件用照明器具では、互いに色味を異ならせている。これに対して、第２条件用照明器具と第３条件用照明器具では、色味に代えて又は色味に加えて、感度又はフェード時間を異ならせてもよい。例えば、感度を互いに異ならせる場合には、第３条件用照明器具の感度は、第２条件用照明器具の感度よりも弱くてもよい。又は、例えば、フェード時間を互いに異ならせる場合には、第３条件用照明器具のフェード時間は、第２条件用照明器具のフェード時間よりも長くてもよい。
【００６５】
（第３実施形態）
図４は、第３実施形態に係る照明システム３００の構成を示す平面図である。照明システム３００が設置される屋外としては、例えば、両側に樹木が植えられている車道領域３０１を想定している。本実施形態では、一例として、車道領域３０１には、車３０４等が通行可能である片側一車線の車道３０２と、車道３０２の一方の路側帯側にある第１樹木列３０５と、車道３０２の他方の路側帯側にある第２樹木列３０６とが存在するものとする。車道３０２は、人を乗せた車３０４等が行き来するので、人が移動する領域とも表現される。
【００６６】
照明システム３００は、複数の風センサーと、複数の照明器具と、制御部１６とを備える。ここで、本実施形態では、複数の照明対象物は、第１樹木列３０５及び第２樹木列３０６に含まれる複数の樹木である。つまり、複数の照明対象物は、車道３０２に沿って配置されている。そして、本実施形態では、車道３０２の延伸方向に対して垂直となる列に並ぶ両側の樹木の組ごとに、風センサーと照明器具とのユニットが対応する。以下、車道領域３０１内には照明対象物となる樹木が多数存在するので、簡略化のために、それぞれ２つの樹木に対する２つのユニットに着目して説明する。
【００６７】
まず、第１樹木列３０５側にある第１樹木３１１と、第２樹木列３０６側にある第２樹木３２１とに関して、照明システム３００は、１つの風センサー３１２を備える。第１樹木３１１と第２樹木３２１とは、車道３０２を挟んでおおよそ対向する。風センサー３１２としては、第１実施形態における風センサー１１と同様のものを採用可能である。風センサー３１２は、例えば、車道３０２にある車線のうち、第１樹木３１１と第２樹木３２１との間にある第１車線３０３ａに設置される。
【００６８】
また、照明システム３００は、照明対象物である１つの樹木に対して、２つの照明器具を備える。例えば、第１樹木３１１を照明する照明器具は、第１照明器具３１３ａ及び第２照明器具３１３ｂである。一方、第２樹木３２１を照明する照明器具は、第１照明器具３２３ａ及び第２照明器具３２３ｂである。
【００６９】
第１照明器具３１３ａは、車道３０２の側から第１樹木３１１を照明する。第１照明器具３１３ａは、昼白色とライトグリーン色とを個別に照射可能とする。また、第２照明器具３１３ｂは、第１樹木３１１を基準として車道３０２の反対側から第１樹木３１１を照明する。第２照明器具３１３ｂは、昼白色とグリーン色とを個別に照射可能とする。
【００７０】
同様に、第１照明器具３２３ａは、車道３０２の側から第２樹木３２１を照明する。第１照明器具３２３ａは、昼白色とライトグリーン色とを個別に照射可能とする。また、第２照明器具３２３ｂは、第２樹木３２１を基準として車道３０２の反対側から第２樹木３２１を照明する。第２照明器具３２３ｂは、昼白色とグリーン色とを個別に照射可能とする。第１照明器具３１３ａ及び第２照明器具３１３ｂ、並びに、第１照明器具３２３ａ及び第２照明器具３２３ｂにおける昼白色の照射時の色温度は、それぞれ、例えば３５００Ｋであってもよい。
【００７１】
一方、第１樹木列３０５側にある第３樹木３３１と、第２樹木列３０６側にある第４樹木３４１とに関しても、照明システム３００は、１つの風センサー３２２を備える。第３樹木３３１と第４樹木３４１とは、車道３０２を挟んでおおよそ対向する。第３樹木３３１及び第４樹木３４１の組は、車道３０２の延伸方向に沿って、第１樹木３１１及び第２樹木３２１の組と隣り合っている。風センサー３２２は、上記の風センサー３１２と同様に、車道３０２にある車線のうち、第３樹木３３１と第４樹木３４１との間にある第２車線３０３ｂに設置される。
【００７２】
また、第３樹木３３１を照明する照明器具は、第１照明器具３３３ａ及び第２照明器具３３３ｂである。一方、第４樹木３４１を照明する照明器具は、第１照明器具３４３ａ及び第２照明器具３４３ｂである。第１照明器具３３３ａ及び第２照明器具３３３ｂは、上記の第１照明器具３１３ａ及び第２照明器具３１３ｂに対応する。また、第１照明器具３４３ａ及び第２照明器具３４３ｂは、上記の第１照明器具３２３ａ及び第２照明器具３２３ｂに対応する。
【００７３】
制御部１６は、基本的には第１実施形態におけるものと同一構成を有する。ただし、本実施形態では、一例として、制御部１６は、第１樹木３１１と第２樹木３２１との列に対応するユニット用のＰＬＣ１８ａなど、ユニットごとに対応したＰＬＣ１８を含むものとする。また、各ユニットに含まれる風センサーは、それぞれ、主制御部１７に検知信号を送信する。
【００７４】
上記のような構成を有する照明システム３００の照明動作は、基本的には、第２実施形態に係る照明システム２００と同様である。照明システム２００では、歩道２０４の片側における照明対象物ごとに分けられたユニットごとに、風力の強弱に従って、それぞれの照明器具の照射状態を変化させる。これに対して、本実施形態に係る照明システム３００では、車道３０２の両側における照明対象物ごとに分けられたユニットごとに、風力の強弱に従って、それぞれの照明器具の照射状態を変化させる。
【００７５】
このような照明システム３００によれば、特に夜間、車道領域３０１に吹く風が強くなると、車道３０２の沿った樹木の照明が、車道３０２の延伸方向に合わせて変化する。そのため、車道３０２を通行する車３０４に乗っている人にとっては、風向きに関わらず、車道３０２の方向性が明示されるという照明演出を受けながら、風を視覚的に実感することができる。
【００７６】
また、本実施形態では、風力の計測には、例えば、一方の照明対象物である第１樹木３１１と、他方の照明対象物である第２樹木３２１とのおおよそ中間位置にある風センサー３１２を用いる。つまり、第１樹木３１１に対する照明状態と、第２樹木３２１に対する照明状態とは同期する。したがって、車道３０２の方向性を強調するのに有利となる。
【００７７】
なお、照明システム３００においても、照明システム２００と同様に、制御部１６が第１条件、第２条件及び第３条件を色味、感度又はフェード時間で規定し、第１照明器具３１３ａ及び第２照明器具３１３ｂ等の照射状態を変化させることができる。
【００７８】
（第４実施形態）
図５は、第４実施形態に係る照明システム４００の構成を示す平面図である。照明システム４００は、第３実施形態に係る照明システム３００を変形した構成を有する。照明システム４００が設置される屋外としては、照明システム３００と同様に、例えば、車道４０２の両側に樹木が植えられている車道領域４０１を想定している。ここで、上記の照明システム３００では、車道３０２は、片側一車線で、かつ、中央が白線で形成された第１車線３０３ａ等を有する。これに対して、照明システム４００では、車道４０２は、車４０４等が通行可能な片道一車線で、かつ、中央分離帯４０３を有する。なお、車道領域４０１に、車道４０２の一方の路側帯側にある第１樹木列４０５と、車道４０２の他方の路側帯側にある第２樹木列４０６とが存在する点は、車道領域３０１と同様である。
【００７９】
照明システム４００は、照明システム３００と同様に、複数の風センサーと、複数の照明器具と、制御部１６とを備える。ただし、照明システム４００では、照射対象物としての１つの樹木に対して光を照射する照明器具のうち、車道４０２側から光を照射する照明器具が、中央分離帯４０３に設置される。
【００８０】
まず、第１樹木列４０５側にある第１樹木４１１と、第２樹木列４０６側にある第２樹木４２１とに関して、照明システム４００は、照明システム３００における風センサー３１２と同様に、１つの風センサー４１２を備える。ただし、風センサー４１２の設置位置は、中央分離帯４０３上である。
【００８１】
また、照明システム４００は、照明システム３００と同様に、照明対象物である１つの樹木に対して２つの照明器具を備える。例えば、第１樹木４１１を照明する照明器具は、第１照明器具４１３ａ及び第２照明器具４１３ｂである。一方、第２樹木４２１を照明する照明器具は、第１照明器具４２３ａ及び第２照明器具４２３ｂである。
【００８２】
第１照明器具４１３ａは、照明システム３００における第１照明器具３１３ａと同様に作用する。第２照明器具４１３ｂは、照明システム３００における第２照明器具３１３ｂと同様に機能する。同様に、第１照明器具４２３ａは、照明システム３００における第１照明器具３２３ａと同様に作用する。第２照明器具４２３ｂは、照明システム３００における第２照明器具３２３ｂと同様に機能する。
【００８３】
制御部１６は、基本的には第１実施形態におけるものと同一構成を有する。ただし、本実施形態では、一例として、制御部１６は、第１樹木３１１と第２樹木３２１との列に対応するユニット用のＰＬＣ１８ａなど、ユニットごとに対応したＰＬＣ１８を含むものとする。また、各ユニットに含まれる風センサーは、それぞれ、主制御部１７に検知信号を送信する。
【００８４】
このような照明システム４００によっても、車道４０２を通行する車４０４に乗っている人にとっては、車道４０２の方向性が明示されるという照明演出を受けながら、風向きに関わらず、風を視覚的に実感することができる。
【００８５】
また、照明システム４００によれば、１つの樹木に対して光を照射する２つの照明器具のうち、車道４０２側から光を照射する一方の照明器具を中央分離帯４０３に設置する。したがって、例えば、第１樹木列４０５や第２樹木列４０６が車道４０２側に近接しているなど、樹木の周囲において照明器具を設置するスペースが限られるような場合に、特に有効である。
【００８６】
（第５実施形態）
図６は、第５実施形態に係る照明システム５００の構成を示す平面図である。上記の各実施形態における照明システムでは、複数の照明領域として、平面方向に広がる領域内に存在する複数の照明対象物が設定されている。これに対して、本実施形態に係る照明システム５００では、複数の照明領域は、１つの照明対象物において、底部から頂部に向かう高さが順に高くなるように配列された複数の照射面である。
【００８７】
照明システム５００が設置される屋外としては、例えば、照明対象物としての柱状の構造物である塔５０２が建てられている敷地５０１を想定している。塔５０２には、予め、高さ方向に沿って分割された複数の照射面が配列されている。本実施形態では、一例として、塔５０２には、第１照射面Ｓ１、第２照射面Ｓ２及び第３照射面Ｓ３の３つの照射面が配列されている。第１照射面Ｓ１は、塔５０２の底部に最も近い照射面である。第２照射面Ｓ２は、第１照射面Ｓ１の次に塔５０２の底部に近い照射面である。また、第３照射面Ｓ３は、塔５０２の頂部に最も近く、すなわち、底部から最も遠い照射面である。
【００８８】
照明システム５００は、風センサー５２１と、複数の照明器具と、制御部１６とを備える。
【００８９】
風センサー５２１としては、第１実施形態における風センサー１１と同様のものを採用可能である。風センサー５２１は、塔５０２の底部の近傍に設置される。なお、本実施形態では、風センサー５２１が１つであるものとしているが、複数あってもよい。複数の風センサー５２１は、例えば、塔５０２の周囲に沿って放射状に等間隔で設置されてもよい。このように風センサー５２１を複数設置することで、風向きの影響を減らしつつ、風力を計測させることができる。
【００９０】
複数の照明器具は、塔５０２上に設定される照射面の数により決定される。本実施形態では、塔５０２には３つの照射面が設定されているので、照明器具は３つある。第１照明器具５１１は、第１照射面Ｓ１に光を照射可能とする。第２照明器具５１２は、第２照射面Ｓ２に光を照射可能とする。また、第３照明器具５１３は、第３照射面Ｓ３に光を照射可能とする。第１照明器具５１１、第２照明器具５１２及び第３照明器具５１３は、それぞれ、敷地５０１の地面上に設置されている。ここで、第１照明器具５１１は、３つの照明器具の中で塔５０２に最も近い。そして、第２照明器具５１２と第３照明器具５１３とは、順に、塔５０２から離れた位置に設置される。
【００９１】
制御部１６は、基本的には第１実施形態におけるものと同一構成を有する。ただし、本実施形態では、一例として、ＰＬＣ１８は、すべての照明器具、すなわち、第１照明器具５１１、第２照明器具５１２及び第３照明器具５１３の照射状態を個別に制御する。
【００９２】
次に、照明システム５００の照明動作について説明する。
【００９３】
制御部１６は、特に夜間、風力の強弱に従って、規則性に合わせてそれぞれの照明器具の照射状態を変化させる。本実施形態における規則性とは、塔５０２における第１照射面Ｓ１、第２照射面Ｓ２及び第３照射面Ｓ３の並び順である。まず、制御部１６は、風センサー５２１近傍をほとんど風が通過していない「無風」であるとき、第１照明器具５１１、第２照明器具５１２及び第３照明器具５１３を含むすべての照明器具を点灯させない。次に、制御部１６は、風センサー５２１近傍を通過する風が「微風」であるときに、図５（ａ）に示すように、第１照明器具５１１を点灯させて、第１照射面Ｓ１を照明させる。次に、制御部１６は、風センサー５２１近傍を通過する風が「そよ風」であるときに、図５（ｂ）に示すように、第２照明器具５１２を点灯させて、第２照射面Ｓ２を照明させる。このとき、制御部１６は、引き続き、第１照明器具５１１に第１照射面Ｓ１を照明させておく。次に、制御部１６は、風センサー５２１近傍を通過する風が「強風」であるときに、図５（ｃ）に示すように、第３照明器具５１３を点灯させて、第３照射面Ｓ３を照明させる。このとき、制御部１６は、引き続き、第１照明器具５１１に第１照射面Ｓ１を照明させるとともに、第２照明器具５１２に第２照射面Ｓ２を照明させておく。なお、無風状態、微風状態、そよ風状態及び強風状態の各状態を、第１基準値、第２基準値及び第３基準値を用いて認定する点は、第１実施形態と同様である。
【００９４】
次に、照明システム５００の効果について説明する。
【００９５】
照明システム５００では、複数の照明領域は、１つの照明対象物において、底部から頂部に向かう高さが順に高くなるように配列された複数の照射面であってもよい。制御部１６は、風力が第１基準値以上となったときに、複数の照明器具に含まれる第１照明器具５１１に、複数の照射面に含まれる第１照射面Ｓ１を照明させてもよい。制御部１６は、風力が第１基準値よりも大きい第２基準値以上となったときに、複数の照明器具に含まれる第２照明器具５１２に、複数の照射面に含まれる底部からの距離が第１照射面Ｓ１よりも高い位置にある第２照射面Ｓ２を照明させてもよい。ここで、制御部１６は、第２照明器具５１２に第２照射面Ｓ２を照明させるときには、第１照明器具５１１に第１照射面Ｓ１の照明も併せて行わせている。
【００９６】
このような照明システム５００によれば、敷地５０１に吹く風が強いときほど、塔５０２の頂部まで照らされることになる。したがって、照射されている照明領域が刻々と変化するので、見る者が風をより視覚的に実感しやすくなる。
【００９７】
また、第１照明器具５１１又は第２照明器具５１２に照明を行わせるかどうかは、第１基準値又は第２基準値に依拠する。したがって、予め、適宜第１基準値及び第２基準値を所望の値に設定することで、どの程度の風の強さのときに第１照明器具５１１又は第２照明器具５１２に照明させるかを調整することができる。
【００９８】
なお、ここでは、第１照射面Ｓ１を照明する第１照明器具５１１と、第２照射面Ｓ２を照明する第２照明器具５１２との２つの照明器具を登場させて説明しているが、照明システム５００がそれ以上の照明器具を備えるものであっても構わない。例えば、照明システム５００は、上記例示のように、第３照射面Ｓ３を照明する第３照明器具５１３を備えてもよい。このように、塔５０２に設定される照射面の数を増やし、それに併せて照明システム５００に含まれる照明器具を増やすことで、照射されている照射面がより細かく変化するので、見る者が風をより視覚的に実感しやすくなる。
【００９９】
また、本実施形態においても、複数の照明器具のそれぞれの感度を互いに異ならせてもよい。ただし、本実施形態では、複数の照明器具の感度がそれぞれ同一であっても、複数の照明器具の塔５０２からの距離がそれぞれ異なるので、塔５０２の最も底部に近い第１照射面Ｓ１が最も明るく照らされ、頂部に向かうにつれて照射面の明るさが低下する。したがって、照明システム５００によれば、複数の照明器具の感度がそれぞれ同一であっても、見る者にとって、照射されている照射面が変化することで特に遠近感を感じやすくなるため、結果として風をより視覚的に実感しやすくなる。
【０１００】
また、本実施形態では、照明対象物として、柱状の構造物である塔５０２を適用したが、例えば、ある程度の高さを有する樹木であってもよい。
【０１０１】
なお、上記の各実施形態では、各照明システムに含まれる複数の照明器具の設置位置を例示した。しかし、例えば、第１実施形態に係る照明システム１０における複数の照明器具１２や、第５実施形態に係る照明システム５００における第１照明器具５１１等の設置位置は、必ずしも例示した位置に限られない。例えば、照明システム１０における複数の照明器具１２の設置位置は、照明対象物である樹木１０６の根元部に限らず、広場１０４外に設置され、遠方から樹木１０６に光を照射するものであってもよい。また、照明システム５００における第１照明器具５１１等の設置位置についても同様である。
【０１０２】
また、上記の各実施形態では、制御部１６が複数の照明器具の照射状態を制御するためにＰＬＣ１８を採用するものとした。しかし、本開示は、これに限定するものではなく、複数の照明器具の照射状態を効率的に制御可能なものであれば、制御部１６は、ＰＬＣ１８に代えて、例えば、ＤＭＸ５１２規格に対応した通信機器を採用してもよい。
【０１０３】
以上、好ましい実施形態について説明したが、本実施形態は、これ限定されず、その要旨の範囲内で種々の変形及び変更が可能である。
【符号の説明】
【０１０４】
１０      照明システム
１１      風センサー
１２ａ    第１照明器具
１２ｂ    第２照明器具
１２ｃ    第３照明器具
１６      制御部
１０６ａ  第１樹木
１０６ｂ  第２樹木
１０６ｃ  第３樹木
２００    照明システム
３００    照明システム
４００    照明システム
５００    照明システム
【図１】
2020173950.tif 000003
【図２】
2020173950.tif 000004
【図３】
2020173950.tif 000005
【図４】
2020173950.tif 000006
【図５】
2020173950.tif 000007
【図６】
2020173950.tif 000008